(57)【要約】【課題】食品収容済み袋の口部をシールする装置の構成を簡素化する。【解決手段】食品収容済み袋７を手動で搬送部材３に投入し、該搬送部材を手動でシールステーションＳ2に移動させて、該袋７を保持手段４で保持しつつシール手段５で袋口部73をシールする。【選択図】図１
2008162604.tif 000002
【特許請求の範囲】
【請求項１】
おにぎり等の食品を収容し両側に襠を有する略四角形の袋(以下、「食品収容済み袋」)の上端口部をシールする装置であって、
食品収容済み袋(７)を投入する投入ステーションＳ1からシールするシールステーションＳ2に向けて設けられたガイド部材(２)と、
ガイド部材(２)の前記投入ステーションＳ1側後端に、縦向き姿勢から横向き姿勢に反転可能に支持され且つ横向き姿勢のままガイド部材(２)に沿って前後進可能且つシールステーションＳ2からオーバラン不可に配備された搬送部材(３)と、
縦向き姿勢の搬送部材(３)の上端部に設けられ、食品収容済み袋(７)を口部(73)を上向きにして収容可能な受け部(33)と、
シールステーションＳ2に配備され該シールステーション上の横向き食品収容済み袋(７)のシール予定部の周辺を上下から挟んで保持する保持手段(４)と、
シールステーションＳ2に配備され該シールステーション上の横向き食品収容済み袋(７)のシール予定部を上下から挟んでシールするシール手段(５)とを含む、食品収容済み袋の口部シール装置。
【請求項２】
シールステーションＳ2に、食品収容済み袋(７)の両襠(72)(72)の口部(73)側を、保持手段(４)が該口部(73)を挟む前に、内側に突き込む一対の突込み部材(６)(６)が、食品収容済み袋(７)の移行路の両側に配備されている、請求項１に記載の食品収容済み食品の口部シール装置。
【請求項３】
保持手段(４)は、食品収容済み袋(７)の口部(73)側下面を支える受け部材(41)と、該袋口部側上面を押さえる押え部材(42)とによって構成される、請求項１又は２に記載の食品収容済み袋の口部シール装置。
【請求項４】
受け部材(41)及び押え部材(42)には、両者で食品収容済み袋(７)を挟んで保持した状態で、襠幅がシール予定部へ徐々に狭まる様に上下から押さえる斜面(41b)(42b)が形成されている、請求項３に記載の食品収容済み袋の口部シール装置。
【請求項５】
シール手段(５)は、袋口部(73)の下面を支える受け台(52)と、該受け台(52)に接近離間可能に配備された押圧部材(51)とによって構成されている、請求項１乃至４の何れかに記載の食品収容済み袋の口部シール装置。
【請求項６】
受け部材(41)は、シール手段(５)の受け台(52)を兼用している、請求項５に記載の食品収容済み袋の口部シール装置。
【請求項７】
受け部材(41)と、押圧部材(51)は互いに接近離間可能に配備されて、食品収容済み袋(７)の移行路を開放可能である、請求項５又は６に記載の食品収容済み袋の口部シール装置。
【請求項８】
搬送部材(３)のガイド部材(２)上での反転動作、スライド動作は手動で行う、請求項１乃至７の何れかに記載の食品収容済み袋の口部シール装置。
【発明の詳細な説明】
【技術分野】
【０００１】
本発明は、おにぎり等の食品を収容し両側に襠を有する略四角形の袋(以下、「食品収容済み袋」と呼ぶ)に対して、袋の口部をシールする装置に関する。
【背景技術】
【０００２】
出願人は以前に、矩形の包装シートによっておにぎりを包みながら四角形の包装袋を形成する全自動の袋包装おにぎり製造装置を提案した(特許文献１)。
上記袋包装おにぎり製造装置は、おにぎり製造部と、包装部と、袋口シール部とからなる。
おにぎり製造部のターンテーブルにおにぎり１個分の飯塊が投入されると、該ターンテーブルの間欠回転中におにぎりが造られ、該おにぎりは包装部に受け渡される。包装部では、おにぎりを直線移動させる間に包装シートによっておにぎりを包みながら四角形の包装袋を形成して、袋口シール部のターンテーブルに受け渡す。袋口シール部では、食品収容済み袋がターンテーブルを回転する途上で、袋の口部を熱溶着によってシールする。
【０００３】
【特許文献１】特許第３７７６９０３号公報
【発明の開示】
【発明が解決しようとする課題】
【０００４】
上記袋包装おにぎり製造装置は、１時間当たり約２０００個の生産能力がある。しかし、おにぎり製造部、及びシール部は夫々ターンテーブル式であって、ターンテーブルの回転停止毎に、種々のメカニズムが動作するため構成が複雑で、メンテナンスに手間が掛かり、高価でもある。従って、店舗単位での小量生産には向かない。
又、予め製造された袋におにぎりを投入して、袋口をシールする場合には、上記袋包装おにぎり製造装置を使用することはできない。
【０００５】
出願人は、袋包装おにぎり製造装置を、おにぎり製造装置と、包装装置と、袋口シール装置とに夫々独立させて、メカニズムを簡素化することにより、生産能力は低下しても、安価でメンテナンスも容易とすることを案出した。
本発明は、その内の袋の口部をシールする装置を明らかにするものである。
【課題を解決するための手段】
【０００６】
請求項１の食品収容済み袋の口部シール装置(以下、「口部シール装置」と呼ぶ)は、食品収容済み袋(７)を投入する投入ステーションＳ1からシールするシールステーションＳ2に向けて設けられたガイド部材(２)と、
ガイド部材(２)の前記投入ステーションＳ1側後端に、縦向き姿勢から横向き姿勢に反転可能に支持され且つ横向き姿勢のままガイド部材(２)に沿って前後進可能且つシールステーションＳ2からオーバラン不可に配備された搬送部材(３)と、
縦向き姿勢の搬送部材(３)の上端部に設けられ、食品収容済み袋(７)を口部(73)を上向きにして収容可能な受け部(33)と、
シールステーションＳ2に配備され該シールステーション上の横向き食品収容済み袋(７)のシール予定部の周辺を上下から挟んで保持する保持手段(４)と、
シールステーションＳ2に配備され該シールステーション上の横向き食品収容済み袋(７)のシール予定部を上下から挟んでシールするシール手段(５)とを含む。
【０００７】
請求項２は、請求項１の口部シール装置において、シールステーションＳ2に、食品収容済み袋(７)の両襠(72)(72)の口部(73)側を、保持手段(４)が該口部(73)を挟む前に、内側に突き込む一対の突込み部材(６)(６)が、食品収容済み袋(７)の移行路の両側に配備されている。
【０００８】
請求項３は、請求項１又は２の口部シール装置において、保持手段(４)は、食品収容済み袋(７)の口部(73)側下面を支える受け部材(41)と、該袋口部側上面を受け部材(41)側に押圧する押え部材(42)とによって構成される。
【０００９】
請求項４は、請求項３の口部シール装置において、受け部材(41)及び押え部材(42)には、両者で食品収容済み袋(７)を保持した状態で、襠幅がシール予定部へ徐々に狭まる様に上下から押さえる斜面(41b)(42b)が形成されている。
【００１０】
請求項５は、請求項１乃至４の何れかの口部シール装置において、シール手段(５)は、袋口部(73)の下面を支える受け台(52)と、回転又は昇降して該受け台(52)に接近離間可能に配備された押圧部材(51)とによって構成されている。
【００１１】
請求項６は、請求項５の口部シール装置において、受け部材(41)は、シール手段(５)の受け台(52)を兼用している。
【００１２】
請求項７は、請求項５又は請求項６の口部シール装置において、受け部材(41)と、押圧部材(51)は互いに接近離間可能に配備されて、食品収容済み袋(７)の移行路を開放可能である。
【００１３】
請求項８は、請求項１乃至７の何れかの口部シール装置において、搬送部材(３)のガイド部材(２)上での反転動作、スライド動作は手動で行う。
【発明の効果】
【００１４】
請求項１の口部シール装置では、投入ステーションＳ1にて縦向き姿勢で待機する搬送部材(３)上端の受け部(33)に、食品収容済み袋(７)を、口部(73)を上向きにして投入し、搬送部材(３)を横向きに反転させて、ガイド部材(２)上をスライド前進させてシールステーションＳ2に搬送する。
上記の如く、食品収容済み袋(７)を口部(73)を上にして受け部(33)に投入するから、四角形の袋(71)内の食品は、自重で袋底に位置する。従って、袋(71)に対する食品の位置が一定する。
投入ステーションＳ1では、保持手段(４)が動作して、横向き姿勢の食品収容済み袋(７)のシール予定部の周辺を上下から挟んで保持する
上記状態で、シール手段(５)が動作して、袋口部(73)のシール予定部をシールする。
【００１５】
袋口部(73)のシール予定部の周辺を保持手段(４)で挟んで位置決めした状態でシールするから、シール位置がずれることはなく、シール位置のズレによる不良品の排出を防止できる。
袋口部(73)のシールが終了すると、保持手段(４)、シール手段(５)は元位置に復帰し、搬送部材(３)はガイド部材(２)をスライドして後退し、投入ステーションＳ1にて前記とは逆方向に反転して縦向き姿勢に戻る。
搬送部材(３)の上端に位置している受け部(33)から、口部(73)を閉じた食品収容済み袋(７)を取り出し、次の食品収容済み袋(７)を受け部(33)に投入する。
上記動作を繰り返して、食品収容済み袋(７)の口部(73)のシールを連続的に行うことができる。
【００１６】
搬送部材(３)の動作は、ガイド部材(２)後端での反転と、ガイド部材(２)上のスライドだけ済み、特許文献１の様に、ターンテーブルに食品収容済み袋(７)を保持し、ターンテーブルの間欠停止毎に、各停止ステーションで口部(73)に加工を加えて袋口部(73)をシールする装置に較べて、メカニズムの簡素化を画ることができる。このため、口部シール装置の製造コストを低減し、又、メンテナンスも容易となる。
【００１７】
請求項２の口部シール装置は、横向きの食品収容済み袋(７)の口部(73)側を、保持手段(４)が上下方向から挟む前に、突込み部材(６)(６)が食品収容済み袋(７)の襠(72)(72)の口部(73)側を内側に突き込む。このため、口部(73)側で襠(72)(72)が外側に突出した状態で口部(73)がシールされることはなく、口部(73)を体裁よくシールできる。
【００１８】
請求項３のの口部シール装置は、請求項１、２と同様の効果を奏する。
【００１９】
請求項４の口部シール装置は、受け部材(41)及び押え部材(42)とによって食品収容済み袋(７)の口部側を挟圧したとき、両者の斜面(41b)(42b)によって、食品収容済み袋(７)の襠(72)(72)がシール予定部へ徐々に狭まる様に押さえられ、この状態で口部(73)がシールされるから、包装食品の美観を高め、商品価値を上げることができる。
【００２０】
請求項５の口部シール装置は、請求項１と同様の効果を奏する。
【００２１】
請求項６の口部シール装置は、保持手段(４)の受け部材(41)が、シール手段(５)の受け台(52)を兼用しているから、口部シール装置の構成を一層簡素化できる。
【００２２】
請求項７の口部シール装置は、受け台(52)と押圧部材(51)は、食品収容済み袋(７)の移行路を開放できるから、食品収容済み袋(７)を、受け部材(41)と押圧部材(51)に無接触でシールステーションＳ2に搬送できる。このため、保持手段(４)及びシール手段(５)が動作するまでは、食品収容済み袋(７)の形状を乱すことはなく、正しく、綺麗に袋口部(73)をシールできる。
【００２３】
請求項８の口部シール装置は、搬送部材(３)のガイド部材(２)上での反転動作、スライド動作は手動で行うから、動力駆動に較べてメカニズムを簡素化できる。
【発明を実施するための最良の形態】
【００２４】
図３は、両側に襠(72)(72)を有し、有底で上端に口部(73)を開口した略四角形の袋(71)に三角おにぎり(８)を収容した食品収容済み袋(７)を示している。
図４は、上記食品収容済み袋(７)の口部(73)を、上段の帯状シール部(74)と、下断の線状シール部(75)で二重にシールした状態を示している。
図３の二点鎖線で示す如く、食品収容済み袋(７)の襠(72)(72)の口部(73)側を内側に押し込んだ状態で、口部(73)にシールが施されており、帯状シール部(74)及び線状シール部(75)は、襠(72)の幅中心に位置しており、襠(72)(72)の上端は凹んでいる。食品収容済み袋(７)の両面の口部(73)側は、線状シール部(75)側へ対称的に傾斜した斜面(76)(76)となっている。
【００２５】
本発明は、図３の食品収容済み袋(７)の口部(73)を図４の様にシールして閉じるための装置である。
実施例でのシールは、口部(73)に対して押圧しつつ加熱して溶着させる熱シールである。
袋(71)は熱溶着の利くシートによって形成されている。実施例では、該シートは、二枚重ねフィルムの間にシート状海苔を挟んで、両フィルムの外周部を溶着してなる、公知の食品包装用シートである。
【００２６】
図１に示す口部シール装置は、基台(１)の一端側に食品収容済み袋(７)の投入ステーションＳ1、他端側にシールステーションＳ2を設け、両ステーションＳ1、Ｓ2に跨ってガイド部材(２)を設けている。
以下の説明で、シールステーションＳ2側を「前」、投入ステーションＳ1側を「後」とする。
ガイド部材(２)は、前後に長い平行側壁(21)(21)の下端間を底板(22)で繋いで形成され、縦断面が上向きコ字状を呈している。
【００２７】
ガイド部材(２)の後端部は、両側壁(21)(21)が基台(１)からはみ出しており、該はみ出し部間に、縦向きの搬送部材(３)の上端を支持している。
搬送部材(３)は、縦長の平行側板(31)(31)の上端間と下部をステー板(34)(32)で連結し、上端に食品収容済み袋(７)の受け部(33)を形成している。
側板(31)(31)には、長手方向に真直案内溝孔(38)(38)が開設され、ガイド部材(２)上に設けた軸(20)が案内溝孔(38)(38)を貫通している。
搬送部材(３)は、案内溝孔(38)(38)の上端が軸(20)に当たって、垂直に垂下しており、下端を後方上向きに持ち上げると、横向き姿勢に回転し、横向き姿勢のまま手押して前進させることができる。
【００２８】
上記搬送部材(３)上の受け部(33)は、図１において、上ステー板(34)の前縁と後縁から夫々上向きに前板(35)と脊板(36)を突設して形成される。
上ステー板(34)は、受け部(33)の底板(30)を兼用しており、受け部(33)に投入された食品収容済み袋(７)の底面を支えて食品収容済み袋(７)の高さ位置を決める。
【００２９】
脊板(36)は上向きコ字状に形成され、上向き両端は少し後方へ屈曲して投入案内片(37)(37)を形成している。脊板(36)の大きな開口(39)は、後記する保持手段(４)の押え部材(42)の侵入を許すため、及び脊板(36)に適度なバネ性を付与するためである。
【００３０】
上記受け部(33)に、口部(73)を上向きにして投入された食品収容済み袋(７)は、搬送部材(３)の反転と前進によってシールステーションＳ2に達する。その状態で、食品収容済み袋(７)の斜面(76)を含む前部が、ガイド部材(２)及び基台(１)からはみ出す。
搬送部材(３)のスライドストロークは、案内溝孔(38)の長さ又は適所に設けたストッパ(図示せず)で決まり、オーバランすることはない。
【００３１】
シールステーションＳ2には、投入ステーションＳ1上の食品収容済み袋(７)を挟んで保持する保持手段(４)と、保持手段(４)が食品収容済み袋(７)を保持する前に、食品収容済み袋(７)の両襠(72)(72)を内側に突き込む一対の突込み部材(６)(６)と、食品収容済み袋(７)の口部(73)をシールするシール手段(５)とが配備される。
【００３２】
保持手段(４)は、食品収容済み袋(７)の口部(73)側下面を支える受け部材(41)と、袋口部側上面を受け部材(41)側に押圧する押え部材(42)とによって構成される。
受け部材(41)は、食品収容済み袋(７)の前記ガイド部材(２)からはみ出た部分の下面を載せて支えるものであり、水平部(41a)と、該水平部(41a)の後端から斜め下向きに延びる傾斜部(41b)を有している。該傾斜部(41b)の角度は、図４に示す口部(73)を閉じた食品収容済み袋(７)の斜面(76)に対応している。
受け部材(41)の下面にシリンダ等を用いた第１昇降駆動装置(45)が連繋されている。
【００３３】
第１昇降駆動装置(45)による受け部材(41)の上昇端は、受け部材(41)の水平部(41a)が、前記搬送部材(３)によって横向きに搬送される食品収容済み袋(７)の襠(72)の幅中心の高さに対応する位置である。受け部材(41)の下降端は、食品収容済み袋(７)の移行路を開放する位置である。
【００３４】
保持手段(４)の押え部材(42)はバネ性の板で形成され、水平部(42a)と、該水平部(42a)の後端から斜め上向きに延びる傾斜部(42b)を有している。該傾斜部(42b)は前記受け部材(41)の傾斜部(41b)と上下に対向し、傾斜角度は、受け部材(41)の傾斜部(41b)の傾斜角度と対称を成す。
押え部材(42)の水平部(42a)の前後長さは、受け部材(41)の水平部(41a)の前後長さより短い。これは、押え部材(42)が食品収容済み袋(７)の口部(73)側を押圧したとき、食品収容済み袋(７)のシール予定部を露出させておく必要があるためによる。
押え部材(42)は、シリンダ等を用いた第２昇降駆動装置(46)で昇降駆動される。
【００３５】
第２昇降駆動装置(46)による押え部材(42)の下降端は、水平部(42a)が、シールステーションＳ2上の横向きの食品収容済み袋(７)の襠(72)の幅中心の高さより僅か低い位置である。押え部材(42)の上昇端は、食品収容済み袋(７)の移行路を開放する位置である。
【００３６】
突込み部材(６)(６)は、シールステーションＳ2で停止した食品収容済み袋(７)の襠(72)(72)の口部(73)側との対応位置に配備されている。突込み部材(６)(６)は互いにシリンダ等の突込み駆動装置(61)(61)に連繋されて、互いに接近離間する。
【００３７】
シール手段(５)は、食品収容済み袋(７)の口部(73)側下面を支える受け台(52)と、第３昇降駆動装置(53)に連繋され該口部(73)を上から押圧する押圧部材(51)とによって形成されている。
押圧部材(51)はヒータ(図示せず)を内蔵している。
押圧部材(51)の下面には、図４に示す食品収容済み袋(７)の帯状シール部(74)と線状シール部(75)に対応して、帯状押圧部(51a)と線状押圧部(51b)が形成されている。
尚、実施例では、シール手段(５)の受け台(52)は保持手段(４)の受け部材(41)の水平部(41a)が兼用している。
【００３８】
保持手段(４)の第１昇降駆動装置(45)と第２昇降駆動装置(46)、シール手段(５)の第３昇降駆動装置(53)は、基台(１)上に配備した手動スイッチ(９)を押すことにより、下記の動作説明の如く作動する。
【００３９】
図１に示す如く、縦向き姿勢で待機している搬送部材(３)上の受け部(33)に、食品収容済み袋(７)をその口部(73)を上向きにして、作業者が投入する。
食品収容済み袋(７)は、自重も加わって受け部(33)の底板(30)に載り、前板(35)とバネ作用のある脊板(36)に挟まって受け部(33)に保持される。
図２ａに示す如く、作業者がガイド部材(２)を軸(20)を中心に反転させ、その姿勢のまま、図２ｂに示す如く、手動で搬送部材(３)を前進させ、食品収容済み袋(７)をシールステーションＳ2に搬送する。
食品収容済み袋(７)は、受け部(33)の受け部(33)と脊板(36)に挟圧ぎみに保持され、又食品収容済み袋(７)の左右は、ガイド部材(２)の側壁(21)(21)でガイドされているから、食品収容済み袋(７)は受け部(33)から位置ズレすることなく、シールステーションＳ2に達する。
【００４０】
作業者がスイッチ(９)を押すと、突込み駆動装置(61)(61)が作動して、突込み部材(６)(６)が食品収容済み袋(７)の襠(72)(72)の口部(73)側を突き込んで凹ませる。
【００４１】
次に保持手段(４)の第１昇降駆動装置(45)と第２昇降駆動装置(46)が作動して、受け部材(41)と押え部材(42)によって、食品収容済み袋(７)を挟んで保持する。押え部材(42)はバネ性あり、食品収容済み袋(７)内のおにぎりを変形させない程度に食品収容済み袋(７)を受け部材(41)側に押圧するから、食品収容済み袋(７)を安定して保持できる。又、受け部材(41)と押え部材(42)の傾斜部(41b)(42b)とによって食品収容済み袋(７)の口部側は、食品収容済み袋(７)の襠(72)(72)がシール予定部へ徐々に狭まる様に押えられる。
【００４２】
次に、食品収容済み袋(７)を保持手段(４)で保持したまま、第３昇降駆動装置(53)が作動して、ヒータ内蔵の押圧部材(51)が下降して食品収容済み袋(７)の口部(73)を受け台(52)側に加圧しつつ加熱する。これによって、該口部(73)に、熱溶着によって帯状シール部(74)と線状シール部(75)が施される。
【００４３】
次に、押圧部材(51)、受け部材(41)及び押え部材(42)が元位置に復帰し、食品収容済み袋(７)の口部側の押圧が開放される。
【００４４】
手動で搬送部材４３)を後退させ、更に縦向きに反転して元の縦向き姿勢に戻す。
シール済みの食品収容済み袋(７)を取り出して、次の食品収容済み袋(７)を受け部(33)に投入する。
上記動作を繰り返して、半自動で食品収容済み袋(７)の口部(73)に対して連続的にシールを行なうことができる。
【００４５】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
【００４６】
例えば、実施例では、搬送部材(３)への食品収容済み袋(７)の投入、搬送部材(３)の反転及び搬送部材(３)の前進移動を手動で行なう様に構成されているが、搬送部材(３)への食品収容済み袋(７)の投入のみを手動で行ない、その他の動作は自動的に行なう様に構成することもできる。この場合でも、全自動式に較べて、装置構成を簡素ができる。
【００４７】
食品収容済み袋(７)の中味の食品は、おにぎりに限るものではなく、袋を横倒しにしても、変形したり、零れ出さないものであれば、食品の種類は問わない。
【００４８】
又、実施例では、保持手段(４)の受け部材(41)の水平部(41a)がシール手段(５)の受け台(52)を兼用しているが、夫々独立させてもよい。
更に、受け部材(41)及び受け台(52)は、昇降させずに、上昇位置に対応する高さで固定しておいてもよい。
【００４９】
又、袋口部(73)のシールは熱溶着に限定されることはない。袋を形成するフィルムによっては、特殊加工により加圧するだけで接合可能なものがあり、加圧してシール可能であれば、シールの手段は問わない。
【図面の簡単な説明】
【００５０】
【図１】食品収容済み袋の口部シール装置の概略斜面図である。
【図２】食品収容済み袋の搬送からシールまでの手順を示しており、ａ図は搬送部材を横向き姿勢に反転させた状態、ｂ図は食品収容済み袋をシールステーションに搬送した状態、ｃ図は食品収容済み袋を保持手段で保持した状態、ｄ図は袋口部シールする状態を示している。
【図３】口部を閉じる前の食品収容済み袋の斜視図である。
【図４】口部をシールして閉じた状態の食品収容済み袋の斜視図である。
【符号の説明】
【００５１】
２  ガイド部材
３  搬送部材
４  保持手段
41  受け部材
42  押圧部材
５  シール手段
51  押圧部材
52  受け台
６  突込み部材
７  食品収容済み袋
【図１】
2008162604.tif 000003
【図２】
2008162604.tif 000004
【図３】
2008162604.tif 000005
【図４】
2008162604.tif 000006